(57)【要約】      （修正有）【課題】鉄道ICカードに登録した乗車特急座席予約情報の譲渡サービスを享受可能なシステム及び方法を鉄道利用者へ提供する。【解決手段】ＩＣカード乗車券と、利用時にＩＣカード乗車券に指定席特急券情報を記憶させる処理を実施する端末機器と、端末機器からの操作により送信される利用情報を収集し、ＩＣカード乗車券毎に指定席特急券情報を管理し、他のＩＣカードへの指定席特急券情報を譲渡する管理サーバと、を用いる。【選択図】図１４
2013206214.tif 000002
【特許請求の範囲】
【請求項１】
第一のＩＣカード乗車券に関連付けられた特急券情報を第二のＩＣカード乗車券に移行させる特急券譲渡方法であって、
発券機から管理サーバに前記第一のＩＣカードの識別情報を送信するステップと、
前記管理サーバが受信した前記第一のＩＣカードの識別情報から、当該第一のＩＣカードに関連付けられた特急券情報を抽出するステップと、
前記抽出された特急券情報を、前記管理サーバから前記発券機に送信するステップと、
前記発券機が、前記送信された特急券情報に基づいて、譲渡する特急券を指定する情報を受け付けるステップと、
前記発券機から前記管理サーバに、受け付けた前記譲渡する特急券を指定する情報と、前記第二のＩＣカード乗車券を識別する情報と、を送信するステップと、
前記管理サーバが、前記譲渡する特急券を指定する情報と、前記第二のＩＣカード乗車券を識別する情報とに基いて当該特急券の情報を当該第二のＩＣカードに関連付けるステップと、
を備えることを特徴とする特急券譲渡方法。
【請求項２】
請求項１に記載の特急券譲渡方法において、
前記特急券の情報を当該第二のＩＣカードに関連付けるステップの後に、当該関連付けた情報を改札機に送信するステップと、
前記改札機にて前記第二のＩＣカードを識別する情報を受信した場合に、前記関連付けられた情報に基づいて前記第二のＩＣカードを特急券が関連付けられた乗車券であるとして入場処理するステップと、
を備えることを特徴とする特急券譲渡方法。
【請求項３】
請求項１又は２に記載の特急券譲渡方法において、
予め、特急券を譲渡する先のＩＣカードの情報をグループ化しておき、前記第二のＩＣカード乗車券を識別する情報を送信するステップでは、グループ化された情報に基づき前記第二のＩＣカードを選択し、送信することを特徴とする特急券譲渡方法。
【請求項４】
発券機と管理サーバとを用いて第一のＩＣカード乗車券に関連付けられた特急券情報を第二のＩＣカード乗車券に移行させる特急券譲渡システムであって、
前記発券機は、
前記ＩＣカードから当該ＩＣカードの識別子を取得するＩＤ読み取り装置と、
前記第一のＩＣカードの識別情報と、譲渡する特急券を指定する情報と、を前記管理サーバに送信する通信部と、を備え、
前記管理サーバは、
前記発券機から送信される前記第一のＩＣカードの識別情報から、当該第一のＩＣカードに関連付けられた特急券情報を抽出する抽出処理部と、
前記発券機から送信される譲渡する特急券を識別する情報と、前記第二のＩＣカードの関連付けを行う譲渡処理部と、を備え、
ることを特徴とする特急券譲渡システム。
【請求項５】
第一のＩＣカード乗車券に関連付けられた特急券情報を第二のＩＣカード乗車券に移行させる特急券譲渡方法であって、
発券機から管理サーバに前記第一のＩＣカードの識別情報を送信するステップと、
前記管理サーバが受信した前記第一のＩＣカードの識別情報から、当該第一のＩＣカードに関連付けられた特急券情報を抽出するステップと、
前記抽出された特急券情報を、前記管理サーバから前記発券機に送信するステップと、
前記発券機が、前記送信された特急券情報に基づいて、譲渡する特急券を指定する情報を受け付けるステップと、
前記発券機から前記管理サーバに、受け付けた前記譲渡する特急券を指定する情報を送信するステップと、
前記管理サーバが、前記譲渡する特急券を指定する情報に基いて当該特急券を特定する譲渡ＩＤを作成し、当該譲渡ＩＤを前記発券機に送信するステップと、
前記発券機から前記管理サーバに、前記第二のＩＣカード乗車券の識別情報と前記譲渡ＩＤとを送信するステップと、
前記管理サーバが、前記送信された前記第二のＩＣカード乗車券の識別情報と前記譲渡ＩＤに基いて、当該譲渡ＩＤに対応する特急券の情報を当該第二のＩＣカードに関連付けるステップと、を備えることを特徴とする特急券譲渡方法。
【発明の詳細な説明】
【技術分野】
【０００１】
本発明は、交通ＩＣカード乗車券の情報をシステム上で管理する技術に関する。特に、交通ＩＣカード乗車券の固有ＩＤを用いて交通ＩＣカード乗車券に関連付けられた特急券情報を譲渡する技術に関する。
【背景技術】
【０００２】
従来、利用者が複数件の指定席予約を実施し近親者へ指定席券を譲渡する場合、複数指定席予約時に指定席券を譲受ける利用者のｅ−ｍａｉｌアドレスをシステムへ登録し、指定席券を譲受ける利用者へ指定席券のダウンロードできるＵＲＬを送信し、指定席券を譲受ける利用者はこのＵＲＬへＰＣ等のネットワーク接続端末よりアクセスし、指定席券を入手することができるという技術がある。(特許文献１参照。)
【先行技術文献】
【特許文献】
【０００３】
【特許文献１】特開２００３−０９９６５４号公報
【発明の概要】
【発明が解決しようとする課題】
【０００４】
しかしながら、上記の従来技術では指定席券を譲受ける利用者は、各々で指定席券利用前にＰＣ等のネットワーク接続端末を用い、システムより受信したｅ−ｍａｉｌ記載のＵＲＬへアクセスし、指定席券を入手する手間が生じる。また、譲渡された指定席券についてシステムで保持する情報がこの指定席券を譲受けた利用者のｅ−ｍａｉｌアドレスのみである場合、この指定席券が偽造され不正利用された場合においてシステムで検知することが困難である。
【課題を解決するための手段】
【０００５】
上記課題を解決するために、例えば特許請求の範囲に記載の構成を採用する。
【０００６】
本願は上記課題を解決する手段を複数含んでいるが、その一例を挙げるならば、ＩＣカード乗車券と、利用時にＩＣカード乗車券に指定席特急券情報を記憶させる処理を実施する端末機器と、端末機器からの操作により送信される利用情報を収集し、ＩＣカード乗車券毎に指定席特急券情報を管理し、他のＩＣカードへの指定席特急券情報を譲渡する管理サーバと、を用いることで実現する。
【０００７】
さらに、あらかじめＩＣカードから特定のＩＣカードへの譲渡を指定することが可能なＩＣカードグループを特急券譲渡グループ情報ＤＢに登録することができ、これにより譲渡先を指定した特急券譲渡操作を実施した際は、譲渡先の利用者が譲渡先となるＩＣカードを改札機にかざすことにより、改札機に保持された改札機配信特急券情報ＤＢの持つ譲渡特急券情報のレコードを基に譲渡されるよう登録された特急券情報が配信される。
【発明の効果】
【０００８】
鉄道ICカードに登録した乗車特急座席予約情報の譲渡サービスを享受可能なシステム及び方法を鉄道利用者へ提供する。
【図面の簡単な説明】
【０００９】
【図１】ＩＣカードを利用した鉄道指定席特急券の譲渡システムの全体構成である。
【図２】特急券譲渡情報管理サーバの構成図
【図３】券売機の構成図
【図４】改札機の構成図
【図５】特急券譲渡情報管理テーブル
【図６】ＩＣカード登録特急券情報管理テーブル
【図７】特急券譲渡グループ情報管理テーブル
【図８】ＩＣカード登録特急券情報の例
【図９】改札機配信特急券情報テーブルの例
【図１０】ＩＣカード利用者特急券購入・情報登録フロー図
【図１１】特急券譲渡グループ登録フロー図
【図１２】ＩＣカード登録特急券譲渡登録フロー図
【図１３】譲渡ＩＤ入力によるＩＣカード登録特急券受取フロー図
【図１４】譲渡先ＩＣカードＩＤ指定時のＩＣカード登録特急券受取フロー図
【発明を実施するための形態】
【実施例１】
【００１０】
ＩＣカード利用者が券売機１０２を用いて指定席特急券を購入し、所有するＩＣカードに購入した指定席特急券情報の登録を実施する場合の例について説明する。
【００１１】
図１を用いて、本システム全体の概要について説明する。ＩＣカードを利用した鉄道指定席特急券の譲渡システムの全体構成である。本システムは、鉄道指定席特急券の譲渡システムにおいてＩＣカード登録特急券情報および譲渡情報を管理する特急券譲渡情報管理サーバ１０１、鉄道駅構内に設置される鉄道営業装置で、主に発券業務を行う券売機１０２、入出改札業務を行う改札機１０３、改札内にて乗り越し運賃の精算を行う精算機１０４、特急電車内において、列車乗務員が検札のために用いるＩＣカード読み取り装置を搭載した検札機１０５から構成される。ＩＣカード利用者は、所有するＩＣカード１０６を券売機１０２を用いて指定席特急券を購入し、ＩＣカード１０６に指定席特急券情報を書き込むことができる。ＩＣカード利用者は、ＩＣカード１０６に書き込まれた指定席特急券情報を用いて特急乗車ホーム入り口のＩＣカード改札を通過することができ、購入した特急券指定席を利用することができる。また、ＩＣカード利用者は、券売機において購入した指定席特急券情報を他者の利用するＩＣカードへ譲渡することが可能となる。
【００１２】
本システムの構成要素を示す図２、図３、図４、図６、図７、図８、図９について説明する。
【００１３】
図２は、特急券譲渡情報管理サーバの構成図である。図１に示すＩＣカードを利用した鉄道指定席特急券の譲渡システムにおいて、ＩＣカード利用者が操作する券売機１０２、改札機１０３、精算機１０４、検札機１０５とネットワークを介し、通信を行う通信制御部２０１、後述の実装アプリケーションが各処理を実施する際に必要な時刻情報を取得する内部時計２０２、ＩＣカードを利用した鉄道指定席特急券の譲渡システムにおいて、ＩＣカード利用者が操作する券売機１０２、改札機１０３、精算機１０４、検札機１０５とネットワークおよび特急券譲渡情報管理サーバの通信制御部を介し送信されてくる操作情報を受信し、特急券譲渡情報ＤＢ２０４、ＩＣカード登録特急券情報ＤＢ２０５、特急券譲渡グループ情報ＤＢ２０６を更新し、操作情報により必要なデータをＩＣカード利用者が操作した各端末装置に送信する譲渡情報管理アプリケーション２０３から構成される。このアプリケーションは主に、抽出処理部と譲渡処理部を備える。抽出処理部とは、発券機から送信されるＩＣカード（Ａ）の識別情報から、ＩＣカード（Ａ）に関連付けられた特急券情報を抽出する処理部である。譲渡処理部とは、発券機から送信される譲渡する特急券を識別する情報と、ＩＣカード（Ｂ）の関連付けを行う処理部である。これら処理部は、CPUなどの演算装置がメモリ等からプログラムを読み出して実行することで、実現される。
【００１４】
図３は、券売機の構成図である。特急券譲渡情報管理サーバと通信制御を行う通信制御部３０１、ＩＣカード利用者が指定席特急券／乗車券の購入や電子マネー入金操作を行う時の紙幣や貨幣を取込み、入金金額の読み取り、お釣りなどで返金が必要な場合の紙幣や貨幣排出などを行う入出金装置３０２、ＩＣカード利用者がＩＣカードによる各種操作を行うためにＩＣカードをセットしＩＣカード内のＩＣチップに格納されているＩＣカード情報を読取らせるＩＣカード読取書込み装置３０３、利用者の券売機操作により購入した鉄道乗車券／指定席特急券を印刷し排出する発券装置３０４、券売機を操作するときの案内や、購入する指定席特急券の経路や金額を利用者に伝える表示装置３０５、ユーザへ発券操作を提供しユーザの購入した鉄道乗車券を発券装置へ印刷指示する発券業務アプリケーション３０６、ＩＣカード利用者へ、ＩＣカード登録特急券情報の譲渡操作を提供し、譲渡先ＩＣカードの登録や、譲渡する際に譲渡先ＩＣカードを指定する操作を提供する譲渡登録業務アプリケーション３０７から構成される。
【００１５】
図４は、改札機の構成図である。特急券譲渡情報管理サーバと通信制御を行う通信制御部４０１、ＩＣカード利用者が入出改札の際に、所有するＩＣカードをかざすことによりＩＣカード内のメモリに格納された情報を読み取り、場合により格納情報の書き換え、および消去操作を行うＩＣカードデータ読取書込装置４０２、ＩＣカード利用者がＩＣカードデータ読取書込装置４０２にかざした際にＩＣカード内の電子マネー残額や、ＩＣカード利用者への各種案内を表示する表示装置４０３、ＩＣカードデータ読取書込装置４０２から読取られたＩＣカード内のデータを基に、検札業務を行う検札アプリケーション４０４、特急券譲渡情報管理サーバ１０１より送信されてくる譲渡先を指定された指定席特急券情報を登録するための情報および譲渡された指定席特急券の譲渡元の情報を消去するための情報を蓄積する改札機配信特急券情報ＤＢ４０６、ＩＣカードデータ読取書込装置４０２から読取られたＩＣカード内のデータを基に、改札機配信特急券情報ＤＢを参照し、ＩＣカードに登録された指定席特急券情報へ各種操作を行うＩＣカード特急券データ読取消去アプリケーション４０５から構成される。
【００１６】
図５は、特急券譲渡情報管理サーバ１０１の特急券譲渡情報ＤＢ２０４において特急券譲渡情報を管理する特急券譲渡情報管理テーブルである。特急券譲渡情報には、譲渡ＩＤ５０１、譲渡元ＩＣカードＩＤ５０２、特急券情報ＩＤ５０３、譲渡先ＩＣカードＩＤ５０４、譲渡状況５０５、譲渡登録日５０６がある。
【００１７】
譲渡ＩＤ５０１は、ＩＣカード利用者が、所有するＩＣカードに登録されている指定席特急券情報について券売機を用いて譲渡操作を実施した際に特急券譲渡情報管理サーバ１０１の譲渡情報管理アプリケーションより付与されるユニークな文字列である。これにより鉄道指定席特急券の譲渡システムにおいてＩＣカードから別のＩＣカードへ１つの指定席特急券情報を譲渡する処理を一意に特定することができる。譲渡元ＩＣカードＩＤ５０２は、指定席特急券の譲渡元のＩＣカードのＩＣカードＩＤである。ＩＣカードＩＤは、ＩＣカード内のＩＣチップ内に登録されているユニークな文字列であり、これによりＩＣカードを一意に特定することができる。特急券情報ＩＤ５０３は、ＩＣカード利用者が、券売機操作により、所有するＩＣカードに登録する指定席特急券情報を購入した際に、特急券譲渡情報管理サーバ１０１の譲渡情報管理アプリケーションより付与されるユニークな文字列であり。これにより特急券情報を一意に特定できる。譲渡先ＩＣカードＩＤ５０４は指定席特急券の譲渡先のＩＣカードのＩＣカードＩＤである。譲渡状況５０５は、鉄道指定席特急券の譲渡システムにおけるＩＣカードから別のＩＣカードへ１つの指定席特急券情報を譲渡する処理の状況を示す。状況を示すパターンは、“譲渡待ち”、“譲渡済”、“譲渡完了”の三種類で表される。譲渡登録日５０６は、ＩＣカード利用者が、所有するＩＣカードに登録されている指定席特急券情報について券売機を用いて譲渡操作を実施した際の時刻である。特急券譲渡情報管理サーバ１０１の譲渡情報管理アプリケーション２０３より内部時計２０２の時刻が取得される。
【００１８】
図６は、特急券譲渡情報管理サーバ１０１のＩＣカード登録特急券情報ＤＢ２０５においてＩＣカード登録特急券情報を管理するＩＣカード登録特急券情報管理テーブルである。ＩＣカード登録特急券情報には、特急券情報ＩＤ６０１、特急券日付６０２、乗車駅６０３、降車駅６０４、列車番号６０５、号車番号６０６、座席番号６０７、登録ＩＣカード６０８がある。
【００１９】
特急券情報ＩＤ６０１は、前述の５０３と同じである。特急券日付６０２は、特急券情報ＩＤ６０１で特定される特急券の乗車日である。乗車駅６０３は、特急券情報ＩＤ６０１で特定される特急券の乗車駅である。降車駅６０４は、特急券情報ＩＤ６０１で特定される特急券の降車駅である。列車番号６０５は、特急券情報ＩＤ６０１で特定される特急券の列車番号である。号車番号６０６は、特急券情報ＩＤ６０１で特定される特急券の号車番号である。座席番号６０７は、特急券情報ＩＤ６０１で特定される特急券の座席番号である。登録ＩＣカードＩＤ６０８は、特急券情報ＩＤ６０１で特定される特急券情報が格納されているＩＣカードのＩＣカードＩＤである。
【００２０】
図７は、特急券譲渡情報管理サーバ１０１の特急券譲渡グループ情報ＤＢ２０６において特急券譲渡グループ情報を管理する特急券譲渡グループ情報管理テーブルである。特急券譲渡グループ情報は、ＩＣカードＩＤ７０１、登録名７０２、譲渡グループＩＤ７０３がある。
【００２１】
ＩＣカードＩＤ７０１は、ＩＣカード内のＩＣチップ内に登録されているユニークな文字列であり、これによりＩＣカードを一意に特定することができる。登録名は、ＩＣカード利用者が特急券譲渡グループへＩＣカード利用者の所持するＩＣカードＩＤを登録する際に登録する名称である。譲渡グループＩＤは、特急券譲渡情報管理サーバにおいて管理される譲渡グループを一意に特定できる文字列である。同じグループＩＤをもつＩＣカードＩＤは同一の譲渡グループに属することとなる。
【００２２】
図８は、ＩＣカード１０６においてＩＣカード搭載メモリ内に格納されるＩＣカード登録特急券情報の例である。ＩＣカード登録特急券情報には、特急券情報ＩＤ、特急券日付８０２、乗車駅８０３、降車駅８０４、列車番号８０５、号車番号８０６、座席番号８０７、譲渡状況８０８、譲渡登録日８０９、譲渡ＩＤ８１０がある。
【００２３】
８０１〜８０７については、前述の図６の６０１〜６０７の説明と同じである。譲渡状況８０８は、これが記載されているレコードで示される特急券情報の状況についてシステムに譲渡するよう登録されているか、譲渡するよう登録されていないかを示す。譲渡するよう登録されている場合は『譲渡中』、譲渡するよう登録されていない場合は『譲渡無』と記載される。譲渡登録日８０９は、前述の５０６と同じである。譲渡ＩＤ８１０は、前述の５０１と同じである。
【００２４】
図９は、改札機１０３の改札機配信特急券情報ＤＢ４０６において改札機配信特急券情報を管理する改札機配信特急券情報テーブルである。改札機配信特急券情報には、ＩＣカードＩＤ９０１、処理区分９０２、特急券情報ＩＤ９０３、特急券日付９０４、乗車駅９０５、降車駅９０６、列車番号９０７、号車番号９０８、座席番号９０９、譲渡ＩＤ９１０がある。
【００２５】
ＩＣカードＩＤ９０１は、前述の７０１と同じである。処理区分９０２は、ＩＣカードＩＤ９０１に示されるＩＣカードＩＤを持つＩＣカードが改札機のＩＣカード読取書込装置にかざされた際の処理を示す。この項目に書き込まれる値には『譲渡先登録』と『譲渡元消去』がある。それぞれの処理は後述の実施例５で記載する。９０３〜９０９については、前述の図６の６０１〜６０７の説明と同じである。譲渡ＩＤ９１０は、前述の５０１と同じである。
【００２６】
＜特急券購入処理＞
図１０は、ＩＣカード利用者が券売機１０２を用いて指定席特急券を購入し、所有するＩＣカードに購入した指定席特急券情報の登録を実施する場合のフローである。ＩＣカード利用者は、所有するＩＣカードを券売機１０２のＩＣカード読取装置３０３にセットする（ステップ１００２）。ＩＣカード利用者は券売機操作により購入したい特急券の利用日付、乗車駅、降車駅、列車番号、号車番号、座席番号を入力し、購入を決定する。このとき券売機は特急券譲渡情報管理サーバ１０１へＩＣカード利用者の入力した購入を希望する特急券の利用日付、乗車駅、降車駅、列車番号、号車番号、座席番号とＩＣカード利用者のセットしたＩＣカードより読取られたＩＣカードＩＤを送信する（ステップ１００３）。これらの情報を受信した特急券譲渡情報管理サーバでは、受信した情報に基づいて特急券情報ＩＤを取得し、券売機より受信した情報を用いてＩＣカード登録特急券情報管理テーブルにレコードを追加する（ステップ１００４）。特急券譲渡情報管理サーバから券売機へＩＣカード登録特急券情報管理テーブルへの登録処理が完了したことを通知する（ステップ１００５）。券売機では、ＩＣカード利用者がＩＣカード読取装置３０３にセットしたＩＣカードのメモリへＩＣカード利用者が購入した特急券情報１００６を書き込み、指定席特急券の購入処理を終了する。ＩＣカード利用者は、購入し所有するＩＣカー  ドに登録した特急券情報で搭乗することが可能となる。
【００２７】
＜特急券譲渡処理（登録処理）＞
次に、ＩＣカードに登録されている特急券を譲渡登録するフローを説明する。ここでは、ＩＣカード利用者（Ａ）が券売機１０２を用いてＩＣカード利用者（Ａ）の所有するＩＣカードに登録されている指定席特急券情報について他者への譲渡操作を実施し、指定席特急券情報を受取るＩＣカード利用者（Ｂ）は、譲渡元のＩＣカード利用者（Ａ）より“譲渡ＩＤ”を入手し、これを用いて券売機１０２で譲渡された指定席特急券情報を所有するＩＣカードへ登録する。
【００２８】
図１２を用いて、特急券を譲渡登録するフローの詳細を説明する。ＩＣカード利用者（Ａ）は、所有するＩＣカードを券売機１０２のＩＣカード読取装置３０３にセットする（ステップ１２０２）。券売機はセットされたＩＣカードのＩＣカードＩＤを読取り、特急券譲渡情報管理サーバへ送信する（ステップ１２０３）。
【００２９】
ＩＣカードＩＤを受信した特急券情報管理サーバでは、特急券譲渡グループ情報管理ＤＢの特急券譲渡情報グループ管理テーブルからＩＣカードＩＤの項目に券売機より受信したＩＣカードＩＤを持つレコードを検索し、このレコードのそれぞれの譲渡グループＩＤの項目に記載されている文字列と同じ文字列を譲渡グループの項目に持つレコードを検索する（ステップ１２０４）。そして特急券譲渡情報管理サーバでは、“譲渡グループＩＤ”とステップ１２０４において検索された同じ譲渡グループＩＤを持つレコードの“ＩＣカードＩＤ”と“登録名”を譲渡グループ情報として券売機へ送信する（ステップ１２０６）。またＩＣカード登録特急券情報管理ＤＢのＩＣカード登録特急券情報管理テーブルから登録ＩＣカードＩＤの項目にＩＣカード利用者が券売機にセットしたＩＣカードのＩＣカードＩＤを持つレコードを検索する（ステップ１２０５）。検索されたレコードを登録特急券情報として券売機へ送信する（ステップ１２０６）。
【００３０】
登録特急券情報と譲渡グループ情報を受信した券売機では、ＩＣカード利用者は、譲渡する特急券を登録特急券情報から選択し（ステップ１２０７）、譲渡先として譲渡グループ登録者のＩＣカードへの譲渡か、それ以外のＩＣカードへの譲渡かを選択する（１２０８）。
【００３１】
譲渡先として譲渡グループ登録者以外のＩＣカードへ譲渡することを選択した場合、譲渡することを選択した登録特急券情報を特急券譲渡情報管理サーバへ送信する（ステップ１２１３）。譲渡することを選択した登録特急券情報を受信した特急券譲渡情報管理サーバでは、特急券譲渡情報管理テーブルに新規レコードを登録する（ステップ１２１４）。“譲渡ＩＤ”はシステムによりユニークに割り当てられる。“譲渡元ＩＣカードＩＤ”の項目は、ＩＣカード利用者が券売機にセットしたＩＣカードのＩＣカードＩＤが書き込まれる。“特急券情報ＩＤ”は利用者が譲渡することを選択した登録特急券情報の特急券情報ＩＤが書き込まれる。“譲渡先ＩＣカードＩＤ”の項目は、空欄となる。“譲渡状況”の項目には、『譲渡待ち』が書き込まれる。“譲渡登録日”の項目には、現在の日付が書き込まれる。
【００３２】
そして特急券譲渡情報管理サーバから券売機へ“譲渡ＩＤ”が送信される（ステップ１２１５）。“譲渡ＩＤ”を受信した券売機では、ＩＣカード利用者がセットしたＩＣカードのメモリに格納されている譲渡することを選択した登録特急券情報の“譲渡状況”の項目へ『譲渡中』を書込み、“譲渡登録日”の項目に現在の日付を書き込み、“譲渡ＩＤ”の項目に特急券譲渡情報管理サーバから受信した“譲渡ＩＤ”を書き込む（ステップ１２１６）。そして“券売機”では“譲渡ＩＤ”を表示部に表示し（ステップ１２１７）、譲渡操作を完了する（ステップ１２１８）。
【００３３】
なお、ステップ１２０８で「ＹＥＳ」に進んだ後の処理については後述する。
【００３４】
＜特急券譲渡処理（受け取り処理１）＞
図１３を用いて、譲渡先となるＩＣカードの利用者（Ｂ）が譲渡元のＩＣカード利用者（Ａ）より“譲渡ＩＤ”を入手し、これを用いて券売機１０２で譲渡された指定席特急券情報を所有するＩＣカードへ登録する場合の例について説明する。
【００３５】
ＩＣカード利用者（Ａ）より譲渡ＩＤを入手したＩＣカード利用者（Ｂ）は、所有するＩＣカード（Ｂ）を券売機１０２のＩＣカード読取装置３０３にセットする（ステップ１３０２）。ＩＣカード利用者（Ｂ）はＩＣカード利用者（Ａ）よりあらかじめ入手していた“譲渡ＩＤ”を券売機に入力する（ステップ１３０３）。券売機は、ＩＣカード利用者（Ｂ）によりセットされたＩＣカード（Ｂ）から読取られたＩＣカードＩＤ（Ｂ）とＩＣカード利用者（Ｂ）に入力された“譲渡ＩＤ”を特急券譲渡情報管理サーバへ送信する（ステップ１３０４）。ＩＣカードＩＤ（Ｂ）と“譲渡ＩＤ”を受信した特急券譲渡情報管理サーバでは、受信した“譲渡ＩＤ”をキーに特急券譲渡情報管理テーブルから該当する“譲渡ＩＤ”を持つレコードを検索し、レコードから“特急券情報ＩＤ”を取得する（ステップ１３０５）。取得された“特急券情報ＩＤ”をキーにＩＣカード登録特急券情報管理テーブルから該当する“特急券情報ＩＤ”を持つレコードを検索し、レコードから“特急券情報ＩＤ”と“日付”、“乗車駅”、“降車駅”、“列車番号”、“号車番号”、“座席番号”を取得し、ＩＣカード登録特急券情報として券売機へ送信する（ステップ１３０６）。ＩＣカード登録特急券情報を受信した券売機は、受信した情報をＩＣカード（Ｂ）のメモリへＩＣカード登録特急券情報として書き込む（ステップ１３０７）。“譲渡状況”の項目は空欄、“譲渡登録日”と“譲渡ＩＤ”の項目は空欄となる。
【００３６】
券売機はＩＣカード（Ｂ）へ特急券情報の書込みが完了したことを特急券譲渡情報管理サーバへ送信する（ステップ１３０８）。特急券譲渡情報管理サーバではＩＣカード登録特急券情報テーブルよりＩＣカード利用者（Ｂ）のＩＣカード（Ｂ）へ書き込まれた特急券情報の“特急券情報ＩＤ”を持つレコードを検索し、そのレコードの“登録ＩＣカードＩＤ”の項目にＩＣカード（Ｂ）の“ＩＣカードＩＤ（Ｂ）”を書き込む（ステップ１３０９）。そして特急券譲渡情報管理サーバでは、特急券譲渡情報管理テーブルよりＩＣカード利用者（Ｂ）が券売機へ入力した“譲渡ＩＤ”を持つレコードを検索し、そのレコードの“譲渡先ＩＣカードＩＤ”へＩＣカード（Ｂ）の“ＩＣカードＩＤ（Ｂ）”を書き込み、“譲渡状況”の項目に『譲渡完了』を書き込む（ステップ１３１０）。ステップ１３１０で検索された特急券譲渡情報レコードの“譲渡ＩＤ”、“ＩＣカードＩＤ”にステップ１３１０で検索された特急券譲渡情報レコードの“譲渡元ＩＣカードＩＤ”の内容『ＩＣカードＩＤ（Ａ）』とし、ステップ１３０９で取得したＩＣカード登録特急券情報レコードの“特急券情報ＩＤ”、“日付”、“乗車駅”、“降車駅”、“列車番号”、“号車番号”、“座席番号”情報と“処理区分”の情報を『譲渡元消去』とした改札機配信特急券情報としてシステムに属する全ての改札機へ送信する（ステップ１３１１）。特急券譲渡情報管理サーバから券売機へ特急券譲渡情報管理サーバの特急券譲渡情報管理ＤＢとＩＣカード登録特急券情報管理ＤＢの更新が完了した旨を通知し（ステップ１３１２）、券売機がこれを受信し、譲渡ＩＤ入力によるＩＣカード登録特急券情報の受取処理は完了する（ステップ１３１３）。
【００３７】
＜特急券譲渡処理（受け取り処理２）＞
次に、2つ目の受け取り方の仕組みとして、受け取る所有者を指定して譲渡登録した場合の受け取り方を説明する。具体的には、ＩＣカード利用者（Ａ）が券売機１０２を用いてＩＣカード利用者（Ａ）の所有するＩＣカードに登録されている指定席特急券情報について他者への譲渡操作を実施し、このとき譲渡先としてＩＣカード利用者（Ｂ）のＩＣカードを指定し、指定席特急券情報を受取るＩＣカード利用者（Ｂ）は、改札機１０３のＩＣカードデータ読取書込装置に所有するＩＣカードをかざすことにより譲渡された指定席特急券情報を受取る場合の例について説明する。
【００３８】
ＩＣカード利用者（Ｂ）を指定する場合は、直接指定しても良いが、予め譲渡グループを作成しておくと、指定処理がやり易くなり好適である。まず、この譲渡グループの作成について説明する。
【００３９】
図１１を用いて、譲渡グループの作成処理を説明する。具体的には、ＩＣカード利用者（Ａ）は、ＩＣカード利用者が所有するＩＣカードに登録されている指定席特急券情報を他者へ譲渡する際に、譲渡先のＩＣカードを指定することをよりやりやすくするために、譲渡先のＩＣカードを予め譲渡グループとして登録する操作について説明する。
【００４０】
ＩＣカード利用者（Ａ）は、所有するＩＣカード（Ａ）を券売機１０２のＩＣカード読取装置３０３にセットする（ステップ１１０２）。券売機はＩＣカード（Ａ）のＩＣカードＩＤ（Ａ）を読取り、特急券譲渡情報管理サーバ１０１に送信する（ステップ１１０３）。特急券譲渡情報管理サーバでは、特急券譲渡グループ管理ＤＢの特急券譲渡グループ管理テーブルのＩＣカードＩＤの項目に券売機より受信したＩＣカードＩＤ（Ａ）を持つレコードを検索し、このレコードのそれぞれの譲渡グループＩＤの項目に記載されている文字列と同じ文字列を譲渡グループの項目に持つレコードを検索する（ステップ１１０４）。そして特急券譲渡情報管理サーバでは、“譲渡グループＩＤ”とステップ１１０４において検索された同じ譲渡グループＩＤを持つレコードの“登録名”を譲渡グループ情報として券売機へ送信する（ステップ１１０５）。例えば図７の特急券譲渡グループ情報管理テーブルの例において、『ＪＥ０１１  １１２２  ２２３３』のＩＣカードＩＤを券売機より受信した場合、“ＩＣカードＩＤ”に『ＪＥ０１１  １１２２  ２２３３』をもつレコードが検索され、“譲渡グループＩＤ（１）”の項目には『ＨＧ１３５７９』が記載されており、これと同じ文字列が“譲渡グループＩＤ（Ｎ）”に記載されているレコードが検索される。『ＨＧ１３５７９』を“譲渡グループＩＤ（Ｎ）”に持つレコードとして”ＩＣカードＩＤ“が『ＪＥ４５５  ５５６６  ６６７７』のレコードが選出される。同様に“ＩＣカードＩＤ”に『ＪＥ０１１  １１２２  ２２３３』をもつレコードの“譲渡グループＩＤ（２）”の項目には『ＨＧ２２９９５』が記載されており、これと同じ文字列が“譲渡グループＩＤ（Ｎ）”に記載されているレコードとして”ＩＣカードＩＤ“が『ＪＥ５６６  ６６７７  ７７８８』のレコードが選出される。そして特急券譲渡情報管理サーバでは、前述の検索された同じ”譲渡グループＩＤ“『ＨＧ１３５７９』を持つレコードの”登録名“『ＡＡＡ  ＡＡＡ』を譲渡グループ情報（１）として、”譲渡グループＩＤ“『ＨＧ２２９９５』を持つレコードの”登録名“『ＥＥ  ＥＥ』を譲渡グループ情報（２）として券売機へ送信する。
【００４１】
譲渡グループ情報を受信した券売機では、表示部に受信した譲渡グループ情報を表示し、ユーザは、これらの譲渡グループに別のＩＣカード利用者の所有するＩＣカードＩＤを追加するか、新規に譲渡グループを作成して別のＩＣカード利用者の所有するＩＣカードＩＤを追加するか、を選択する（ステップ１１０６）。券売機の表示部に表示された譲渡グループを選択した場合は（ステップ１１０９）は、譲渡先として譲渡グループに追加するＩＣカード（Ｂ）を券売機１０２のＩＣカード読取装置３０３にセットする（ステップ１１１０）。ＩＣカード読取装置は、ＩＣカード（Ｂ）のＩＣカードＩＤを読取り、選択された“譲渡グループＩＤ”と合わせて特急券譲渡情報管理サーバへ送信する（ステップ１１１１）。特急券譲渡グループ情報管理テーブルの“ＩＣカード”の項目に『ＩＣカードＩＤ（Ｂ）』を持つレコードを検索し、受信した”譲渡グループＩＤ“を追加登録し、登録処理が終了した旨を券売機へ送信し（ステップ１１１２）、譲渡グループへのＩＣカード追加処理を完了する（ステップ１１１３）。ステップ１１０６において新規に譲渡グループを作成する処理を選択した場合は、特急券譲渡情報管理サーバにおいて譲渡グループＩＤを新規に取得し（ステップ１１０７）、特急券譲渡グループ情報管理テーブルの“ＩＣカードＩＤ”の項目に『ＩＣカードＩＤ（Ａ）』を持つレコードの“譲渡グループＩＤ”の項目に新規に取得した譲渡グループＩＤを登録し、ステップ１１０７において新規に取得した譲渡グループＩＤを券売機へ送信する。券売機では、譲渡先として新規に作成した譲渡グループに追加するＩＣカード（Ｂ）を券売機１０２のＩＣカード読取装置３０３にセットする（ステップ１０１０）。ＩＣカード読取装置は、ＩＣカード（Ｂ）のＩＣカードＩＤを読取り、選択された“譲渡グループＩＤ”と合わせて特急券譲渡情報管理サーバへ送信する（ステップ１１１１）。特急券譲渡グループ情報管理テーブルの“ＩＣカード”の項目に『ＩＣカードＩＤ（Ｂ）』を持つレコードを検索し、受信した”譲渡グループＩＤ“を追加登録し、登録処理が終了した旨を券売機へ送信し（ステップ１１１２）、譲渡グループへのＩＣカード追加処理を完了する（ステップ１１１３）。
【００４２】
図１２の説明に戻り、ステップ１２０８でＹＥＳに進む場合の処理を説明する。
【００４３】
譲渡先として譲渡グループ登録者のＩＣカードを選択した場合（ステップ１２０９）、譲渡することを選択した登録特急券情報と譲渡先として選択したＩＣカードＩＤを特急券譲渡情報管理サーバへ送信する（ステップ１２１０）。譲渡することを選択した登録特急券情報と譲渡先として選択したＩＣカードＩＤを受信した特急券譲渡情報管理サーバでは、特急券譲渡情報管理テーブルに新規レコードを登録する（ステップ１２１１）。“譲渡ＩＤ”はシステムによりユニークに割り当てられる。“譲渡元ＩＣカードＩＤ”の項目は、ＩＣカード利用者が券売機にセットしたＩＣカードのＩＣカードＩＤが書き込まれる。“特急券情報ＩＤ”は利用者が譲渡することを選択した登録特急券情報の特急券情報ＩＤが書き込まれる。“譲渡先ＩＣカードＩＤ”の項目は、ＩＣカード利用者が譲渡先として選択したＩＣカードのＩＣカードＩＤが書き込まれる。“譲渡状況”の項目には、『譲渡待ち』が書き込まれる。“譲渡登録日”の項目には、現在の日付が書き込まれる。
【００４４】
特急券譲渡情報管理テーブルにレコードが追加された後で、特急券譲渡情報管理サーバでは、“譲渡先ＩＣカードＩＤ”と“処理区分”には『譲渡先登録』、“特急券情報ＩＤ”と“特急券情報ＩＤ”をキーにＩＣカード登録特急券情報ＤＢより検索されたレコードの“日付”、“乗車駅”、“降車駅”、“列車番号”、“号車番号”、“座席番号”、“譲渡ＩＤ”を改札機配信特急券情報としてシステムに属する全改札機へ送信する（ステップ１２１２）。そして特急券譲渡情報管理サーバから券売機へ“譲渡ＩＤ”が送信される（ステップ１２１５）。“譲渡ＩＤ”を受信した券売機では、ＩＣカード利用者がセットしたＩＣカードのメモリに格納されている譲渡することを選択した登録特急券情報の“譲渡状況”の項目へ『譲渡中』を書込み、“譲渡登録日”の項目に現在の日付を書き込み、“譲渡ＩＤ”の項目に特急券譲渡情報管理サーバから受信した“譲渡ＩＤ”を書き込む（ステップ１２１６）。そして“券売機”では“譲渡ＩＤ”を表示部に表示し（ステップ１２１７）、譲渡操作を完了する（ステップ１２１８）。
【００４５】
次に図１４の説明に戻り、受け取り処理の続きを説明する。具体的には、ＩＣカード利用者（Ａ）が券売機１０２を用いて所有するＩＣカードに登録されている指定席特急券を譲渡するときに、譲渡先としてＩＣカード利用者（Ｂ）の所有するＩＣカードを指定して譲渡登録を実施した場合に、譲渡先となるＩＣカードの利用者（Ｂ）が改札機１０３のＩＣカードデータ読取書込装置に所有するＩＣカードをかざすことにより譲渡された指定席特急券情報を登録する場合の例について説明する。
【００４６】
ＩＣカード利用者（Ａ）が譲渡することを登録した特急券情報を受け取るＩＣカード利用者（Ｂ）は所有するＩＣカード（Ｂ）を改札機１０３のＩＣカードデータ読取書込み装置にかざす（ステップ１４０２）。このとき改札機のＩＣカードデータ読取書込み装置では、ＩＣカード（Ｂ）のＩＣカードＩＤ（Ｂ）が読取られる（ステップ１４０３）。ＩＣカードＩＤ（Ｂ）をキーに改札機１０３の改札機配信特急券情報ＤＢ４０６から該当する改札機配信特急券情報レコードを検索する（１４０４）。
【００４７】
検索された改札機配信特急券情報レコードの“処理区分”が『譲渡先登録』であるか判断する（ステップ１４０５）。検索された改札機配信特急券情報レコードの“処理区分”が『譲渡先登録』である場合ＩＣカード（Ｂ）のメモリへ検索された改札機配信特急券情報レコードの“特急券情報ＩＤ”、“日付”、“乗車駅”、“降車駅”、“列車番号”、“号車番号”、“座席番号”をＩＣカード登録特急券情報として書き込む。このときＩＣカード登録特急券情報の“譲渡状況”の項目は『譲渡無』、“譲渡登録日”と“譲渡ＩＤ”は空欄となる。改札機では、特急券譲渡情報管理サーバへ譲渡先ＩＣカードへの特急券受取登録が完了した旨を通知する（ステップ１４０７）。このとき改札機から特急券譲渡情報管理サーバへ受取登録したＩＣカード（Ｂ）の“ＩＣカードＩＤ（Ｂ）”と“譲渡ＩＤ”と“特急券情報ＩＤ”が送信される。
【００４８】
改札機より、譲渡先ＩＣカードへの特急券受取登録が完了した旨を受信した特急券譲渡情報管理サーバでは、特急券譲渡情報管理ＤＢの特急券譲渡情報管理テーブルより改札機から受信した“譲渡ＩＤ”を持つレコードを検索し、この“譲渡状況”の項目を『譲渡済』に書き換える（ステップ１４０８）。そしてＩＣカード登録特急券情報管理ＤＢのＩＣカード登録特急券情報管理テーブルから改札機より受信した“特急券情報ＩＤ”を持つレコードを検索し、このレコードの“登録ＩＣカードＩＤ”の項目を『ＩＣカードＩＤ（Ｂ）』に書き換える（ステップ１４０９）。全改札へ、改札機配信特急券情報ＤＢの改札機配信特急券情報テーブルより改札機より受信した“譲渡ＩＤ”を持つレコードを検索し、このレコードの“ＩＣカードＩＤ”をステップ１４０８で検索した特急券譲渡情報管理テーブルのレコードにおける“譲渡元ＩＣカードＩＤ”の内容『ＩＣカードＩＤ（Ａ）』に、“処理区分”を『譲渡元消去』に書き換えるよう通知する（ステップ１４１０）。
【００４９】
特急券譲渡情報管理サーバより改札機配信特急券情報テーブルの書き換えの通知を受け取った改札機は該当する“譲渡ＩＤ”のレコードを書き換え（ステップ１４１１）、譲渡先への特急券情報受取登録処理完了となる（ステップ１４１８）。
【００５０】
譲渡先のＩＣカード（Ｂ）への特急券受取登録処理が完了した後でも、譲渡元のＩＣカード（Ａ）には、ＩＣカードメモリに登録されている譲渡した特急券情報が残ったままとなっている。
【００５１】
ステップ１４１１における“譲渡ＩＤ”を持つ改札機配信特急券情報テーブルのレコードの“ＩＣカードＩＤ”が『ＩＣカードＩＤ（Ａ）』に、“処理区分”が『譲渡元消去』に書き換えられた状態で、ＩＣカード（Ａ）が改札機にかざされると、改札機のＩＣカードデータ読取書込み装置では、ＩＣカード（Ａ）のＩＣカードＩＤ（Ａ）が読取られる（ステップ１４０３）。ＩＣカードＩＤ（Ａ）をキーに改札機１０３の改札機配信特急券情報ＤＢ４０６から該当する改札機配信特急券情報レコードを検索する（ステップ１４０４）。検索された改札機配信特急券情報レコードの“処理区分”が『譲渡先登録』であるか判断する（ステップ１４０５）。検索された改札機配信特急券情報レコードの“処理区分”が『譲渡元消去』である場合（ステップ１４１２）、ＩＣカード（Ａ）のメモリ内の該当する特急券情報を消去する（ステップ１４１３）。改札機では、特急券譲渡情報管理サーバへ譲渡元ＩＣカードの特急券情報消去が完了した旨を通知する（ステップ１４１４）。このとき改札機から特急券譲渡情報管理サーバへ消去したＩＣカード登録特急券情報の“譲渡ＩＤ”が送信される。
【００５２】
改札機より、譲渡元ＩＣカードの特急券情報消去が完了した旨を受信した特急券譲渡情報管理サーバでは、特急券譲渡情報管理ＤＢの特急券譲渡情報管理テーブルより改札機から受信した“譲渡ＩＤ”を持つレコードを検索し、この“譲渡状況”の項目を『譲渡完了』に書き換える（ステップ１４１５）。全改札へ、改札機配信特急券情報ＤＢの改札機配信特急券情報テーブルより改札機より受信した“譲渡ＩＤ”を持つレコードを検索し、このレコードを消去するよう通知する（ステップ１４１６）。
【００５３】
特急券譲渡情報管理サーバより改札機配信特急券情報テーブルからレコード消去の通知を受け取った改札機は該当する“譲渡ＩＤ”のレコードを消去し（ステップ１４１７）、譲渡元の特急券情報消去処理完了（ステップ１４１８）となる。
【符号の説明】
【００５４】
１０１  特急券譲渡情報管理サーバ、１０２  券売機、１０３  改札機、１０４  精算機、１０５  検札機、１０６  ＩＣカード、２０１  通信制御部、２０２  内部時計、２０３  譲渡情報管理アプリケーション、２０４  特急券譲渡情報ＤＢ、２０５  ＩＣカード特急券登録情報ＤＢ、２０６  特急券譲渡グループ情報ＤＢ、３０１  通信制御部、３０２  入出金装置、３０３  ＩＣカードＩＤ読取装置、３０４  発券装置、３０５  表示装置、３０６  発券業務アプリケーション、３０７  譲渡登録業務アプリケーション、４０１  通信制御部、４０２  ＩＣカードデータ読取書込装置、４０３  表示装置、４０４  検札アプリケーション、４０５  ＩＣカード特急券データ読取消去アプリケーション、４０６  改札機配信特急券情報ＤＢ、５０１  譲渡ＩＤ、５０２  譲渡元ＩＣカードＩＤ、５０３  特急券情報ＩＤ、５０４  譲渡先ＩＣカードＩＤ、５０５  譲渡状況、５０６  譲渡登録日、６０１  特急券情報ＩＤ、６０２  特急券日付、６０３  乗車駅、６０４  降車駅
６０５  列車番号、６０６  号車番号、６０７  座席番号、６０８  登録ＩＣカードＩＤ、７０１  ＩＣカードＩＤ、７０２  登録名、７０３  譲渡グループ（１）、７０４  譲渡グループ（２）、７０５  譲渡グループ（３）、８０１  特急券情報ＩＤ、８０２  特急券日付、８０３  乗車駅、８０４  降車駅、８０５  列車番号、８０６  号車番号、８０７  座席番号、８０８  譲渡状況、８０９  譲渡登録日、８１０  譲渡ＩＤ、９０１  ＩＣカードＩＤ、９０２  処理区分、９０３  特急券情報ＩＤ、９０４  特急券日付、９０５  乗車駅、９０６  降車駅、９０７  列車番号、９０８  号車番号、９０９  座席番号、９１０  譲渡ＩＤ、。
【図１】
2013206214.tif 000003
【図２】
2013206214.tif 000004
【図３】
2013206214.tif 000005
【図４】
2013206214.tif 000006
【図５】
2013206214.tif 000007
【図６】
2013206214.tif 000008
【図７】
2013206214.tif 000009
【図８】
2013206214.tif 000010
【図９】
2013206214.tif 000011
【図１０】
2013206214.tif 000012
【図１１】
2013206214.tif 000013
【図１２】
2013206214.tif 000014
【図１３】
2013206214.tif 000015
【図１４】
2013206214.tif 000016